【手続補正書】
【提出日】平成25年7月16日(2013.7.16)
【手続補正１】
【補正対象書類名】明細書
【補正対象項目名】００８８
【補正方法】変更
【補正の内容】
【００８８】
図６は、個人用の１日分の栄養補助食品のパッケージをまとめる例示的システム６００を示す。システム６００は、例えば制御装置６０５を備える。例示的制御装置６０５は、図１のブロック１２０に関連して説明している。例示的制御装置６０５を、例えば、ホッパ６１０Ａ〜６１０Ｘおよびアセンブリ装置６２０に接続／連結することができるが、これらに限るものではない。
【手続補正２】
【補正対象書類名】特許請求の範囲
【補正対象項目名】全文
【補正方法】変更
【補正の内容】
【特許請求の範囲】
【請求項１】
１日分の栄養補助食品成分の摂取計画を提供するためのコンピュータによって実行される方法であって、
第１のコンピュータによって、少なくとも１つのユーザの健康状態に関する複数の質問を作成するステップであって、前記質問は少なくとも２つの可能性のある回答を有し、前記回答は前記ユーザの健康状態の質的特徴または量的特徴を表し、前記健康状態は少なくとも１つの所定の推奨の栄養補助食品成分を含むセットにリンクされ、さらに、
栄養知識基盤から１つまたは複数の健康状態データを選択することと、
前記健康状態データを、栄養補助食品成分データおよび／または剤形データと関連付けることと、    
前記健康状態データおよび前記栄養補助食品成分データおよび／または前記剤形データを質問データと関連付けることと
を含む、作成するステップと、
前記複数の質問を前記第１のコンピュータから第２のコンピュータへ送信するステップと、
前記第１のコンピュータによって、前記複数の質問に対する前記ユーザの応答を受信するステップであって、前記第１のコンピュータは前記各質問に対する応答を１つのみ受け入れる、受信するステップと、
前記第１のコンピュータによって、所定の推奨の栄養補助食品成分のグループを識別するステップであって、前記各推奨の栄養補助食品成分は前記ユーザの健康状態に関連付けられ、さらに、
前記受信した回答データに基づいて関連する栄養補助食品成分データおよび／または剤形データを識別することと、
前記栄養補助食品成分に対応する少なくとも１つの栄養補助食品の剤形を識別することと、
前記栄養補助食品の剤形のリストを作成することと
を含む、識別するステップと、
前記第１のコンピュータによって、前記栄養補助食品成分のグループを含む少なくとも１つの推奨の栄養補助食品の剤形を識別するステップと、
前記第１のコンピュータによって、組合せ剤形を識別して前記栄養補助食品成分の数を最小とすることにより、前記少なくとも１つの推奨の栄養補助食品の剤形を最適化するステップと、
前記少なくとも１つの推奨の栄養補助食品の剤形のリストを前記第１のコンピュータから前記第２のコンピュータへ送信するステップと
を含むことを特徴とする方法。
【請求項２】
前記推奨の栄養補助食品成分に対する前記ユーザの最大の１日分の許容可能な摂取量を超える、任意の量の前記推奨の栄養補助食品成分を識別するステップと、
前記識別した任意の量の推奨の栄養補助食品成分を、前記栄養補助食品成分の前記グループから取り除くステップと、
前記栄養補助食品成分のグループを含む１つまたは複数の剤形を選択するステップと、
前記栄養補助食品成分のグループの少なくとも１つまたは剤形のリストを、前記コンピュータから出力するステップと
を含むことを特徴とする請求項１に記載のコンピュータによって実行される方法。
【請求項３】
前記健康状態の少なくとも１つは、
身体的状態、
運動の状態、
生活習慣の状態、または
ダイエット
の少なくとも１つを含むことを特徴とする請求項１に記載の方法。
【請求項４】
少なくとも１つの前記推奨の栄養補助食品成分を識別するステップは、
前記ユーザの性別に基づいてマルチビタミンを識別すること、
前記ユーザの年齢に基づいてマルチビタミンを識別すること、または
少なくとも１つの特定の栄養補助食品成分を識別すること
の少なくとも１つをさらに含むことを特徴とする請求項１に記載の方法。
【請求項５】
前記栄養補助食品成分は、
個々のビタミン補助食品成分、
ミネラル補助食品成分、
薬草補助食品成分、
コエンザイム（ＣｏＱ１０）補助食品成分、
フィッシュオイル補助食品成分、または
フィステロール補助食品成分
の少なくとも１つを含むことを特徴とする請求項１に記載の方法。
【請求項６】
前記少なくとも１つの健康状態は、
前記ユーザの年齢、
前記ユーザの性別、
前記ユーザのアレルギー、
前記ユーザの食習慣、
前記ユーザのアルコール摂取量、
前記ユーザの糖分摂取量、
前記ユーザのソフトドリンク摂取量、
前記ユーザのカフェイン摂取量、
前記ユーザの食事制限、
前記ユーザの家族歴、
前記ユーザの病歴、
前記ユーザが服用している医薬、
前記ユーザのカルシウム摂取量、
前記ユーザのビタミンＤ摂取量、
前記ユーザの妊娠状態、
前記ユーザの授乳状態、
前記ユーザの月経前症状、
前記ユーザの閉経前症状、
前記ユーザの更年期症状、
前記ユーザの乳癌に関する懸念、
前記ユーザの泌尿器の健康に関する懸念、または
前記ユーザの前立腺の健康に関する懸念
の少なくとも１つに関連すること特徴とする請求項１に記載の方法。
【請求項７】
前記少なくとも１つの健康状態は、
運動、
心臓血管または筋力のトレーニング、
大気汚染にさらされること、
受動喫煙にさらされること、
日光、
喫煙、
ストレス、または
食物摂取量
の少なくとも１つに関連することを特徴とする請求項１に記載の方法。
【請求項８】
前記少なくとも１つの健康状態は、
ユーザの健康全体、
目の健康、
呼吸器の健康、
気分／精神的健康状態、
記憶力／記憶保持力、
関節の健康、または
心臓の健康
の少なくとも１つに関連することを特徴とする請求項１に記載の方法。
【請求項９】
前記第１のコンピュータにおいて、
定期的な間隔で、
知識基盤が更新される度に、または
補助食品成分が追加または削除される度に
の少なくとも１つに基づいて、前記栄養補助食品成分と前記健康状態との間の関連を更新するステップを含むことを特徴とする請求項１に記載の方法。
【請求項１０】
以前の質問に対する前記ユーザの応答に基づいて、質問表でさらなる質問を行うこと、または行わないことを特徴とする請求項１に記載の方法。
【請求項１１】
少なくとも１つの前記推奨の栄養補助食品成分を識別するステップは、
前記ユーザのアレルギーに対して修正することと、
前記ユーザの１日当たりの最大許容摂取量を超えることに対して修正することと、
前記ユーザの食に関する好みに対して修正することと、
前記栄養補助食品成分を含む栄養補助食品の組合せ剤形を識別することと
を含むことを特徴とする請求項１に記載の方法。
【請求項１２】
前記第１のコンピュータにおいて、栄養補助食品成分の知識基盤を構築するステップと、
前記第１のコンピュータにおいて、前記知識基盤に基づいて少なくとも１つの栄養補助食品成分を識別するステップと
を含むことを特徴とする請求項１に記載の方法。
【請求項１３】
前記少なくとも１つの推奨の栄養補助食品の剤形は、マルチビタミンであり、前記少なくとも１つの推奨の栄養補助食品の剤形は、第１の栄養補助食品成分および第２の栄養補助食品成分を組み合わせるものであることを特徴とする請求項１に記載の方法。
【請求項１４】
前記複数の推奨の栄養補助食品の剤形を選択するステップは、１０個以下の栄養補助食品の剤形を選択するステップを含むことを特徴とする請求項１に記載の方法。
【請求項１５】
前記少なくとも１つの剤形を調整するための調剤装置を管理するステップを含み、前記調剤装置は、
複数の容器であって、前記各容器が単一のタイプの複数の栄養補助食品の剤形を含む容器と、
前記容器のそれぞれに連結したディスペンサであって、前記各ディスペンサが命令に基づき栄養補助食品を共通のパッケージに調剤するよう適合したディスペンサと、
前記各ディスペンサに連結し、前記１つまたは複数のディスペンサに栄養補助食品を前記共通のパッケージに調剤するように命令するよう適合した制御器と、
栄養補助食品の剤形の包装モジュールに含まれる複数の利用可能な栄養補助食品の剤形から選択した少なくとも１つの推奨の栄養補助食品の剤形を、複数の１日分の栄養補助食品の剤形のパッケージに包装するよう適合した栄養補助食品の剤形の包装モジュールと
を備え、
前記制御器が、前記コンピュータから出力された前記剤形のリストを受信し、それに応じて前記ディスペンサを制御することを特徴とする請求項１に記載の方法。
【請求項１６】
請求項１５に記載の方法によって作られる栄養補助食品成分の剤形のキットであって、
複数の１日分の栄養補助食品の剤形のパッケージは個々の人に個人化されており、少なくとも１つの栄養補助食品の剤形を含み、前記キットの前記少なくとも１つの栄養補助食品の剤形は、前記人の健康状態に関する質問に対する前記人の応答にリンクされていることを特徴とする栄養補助食品成分の剤形のキット。
【請求項１７】
前記第１のコンピュータによって、所定の推奨の栄養補助食品成分のグループ内の有害な栄養補助食品成分の存在をチェックするステップであって、前記有害な栄養補助食品成分は前記ユーザに特有のアレルゲンまたは前記ユーザに特有の食事制限に反する成分の少なくとも１つである、チェックするステップと、
前記第１のコンピュータによって、前記有害な栄養補助食品成分を前記所定の推奨の栄養補助食品成分のグループから取り除くステップと、
チェックした栄養補助食品成分のグループを集めるステップであって、前記チェックは前記複数の質問が前記第１のコンピュータから前記第２のコンピュータに送信された後に実行される、集めるステップと
をさらに備えることを特徴とする請求項１に記載のコンピュータによって実行される方法。
【請求項１８】
有害な栄養補助食品成分の代わりとして代替の栄養補助食品成分を識別するステップと、
前記代替の栄養補助食品成分に前記少なくとも１つの推奨の栄養補助食品の剤形を提供するステップと
をさらに備えることを特徴とする請求項１７に記載のコンピュータによって実行される方法。
【請求項１９】
前記有害な栄養補助食品の存在をチェックすることは前記複数の質問に対する各回答を分析した後に実行されることを特徴とする請求項１７に記載のコンピュータによって実行される方法。
【請求項２０】
データを受信するよう動作可能な１つまたは複数のコンピュータ入力装置と、
質問−回答−栄養補助食品マップを保持するよう動作可能な記憶装置と、
前記入力装置で与えられた健康状態の質問に対する回答に応じて栄養補助食品の摂取計画を生成することであって、前記摂取計画は複数の栄養補助食品成分を含み、各成分は特定の健康状態と関連する、生成することと、
前記栄養補助食品の摂取計画内の有害な栄養補助食品成分の存在をチェックすることであって、前記有害な栄養補助食品成分はユーザのアレルゲンまたは前記ユーザの食事制限に反する成分の少なくとも１つである、チェックすること、および任意のそのような有害な栄養補助食品成分を前記栄養補助食品の摂取計画から取り除くことと、
組合せ投与成分を識別して前記栄養補助食品の摂取計画における前記栄養補助食品成分の数を最小とすることにより、前記栄養補助食品の摂取計画を最適化することと
を行うよう構成されたプロセッサと、
前記摂取計画を配信するよう構成された出力装置と
を備えることを特徴とする装置。
【請求項２１】
前記摂取計画の前記栄養補助食品を調剤するよう構成された調剤装置を備えることを特徴とする請求項２０に記載の装置。
【請求項２２】
複数の容器であって、前記各容器が単一のタイプの複数の栄養補助食品の剤形を含むよう適合した容器と、
前記容器のそれぞれに連結したディスペンサであって、前記各ディスペンサが命令に基づき栄養補助食品を共通のパッケージに調剤するよう適合したディスペンサと、
前記各ディスペンサに連結し、前記１つまたは複数のディスペンサに栄養補助食品を前記共通のパッケージに調剤するように命令するよう適合した制御器と、
栄養補助食品の剤形の包装モジュールに含まれる複数の利用可能な栄養補助食品の剤形から選択した少なくとも１つの推奨の栄養補助食品の剤形を、複数の１日分の栄養補助食品の剤形のパッケージに包装するよう適合した栄養補助食品の剤形の包装モジュールと
を備え、
前記制御器が、前記コンピュータから出力された前記剤形のリストを受信し、それに応じて前記ディスペンサを制御することを特徴とする請求項２１に記載の装置。
【請求項２３】
コンピュータに栄養補助食品の摂取計画を生成する方法を実行させるためのプログラムを記憶したコンピュータ可読記憶媒体であって、前記方法は、
第１のコンピュータにおいて複数の質問を作成するステップであって、前記各質問はユーザの健康状態に関し、前記各質問は少なくとも２つの可能性のある回答を有し、前記各回答は前記ユーザの健康状態の質的特徴または量的特徴を表し、前記各健康状態は少なくとも１つの所定の推奨の栄養補助食品成分を含むセットにリンクされている、作成するステップと、
第２のコンピュータ上で前記入力装置を介して前記ユーザに前記複数の質問を提示するステップと、
前記第１のコンピュータにおいて前記複数の質問に対する前記ユーザの応答を受信するステップであって、前記第１のコンピュータは前記各質問に対する応答を１つのみ受け入れる、受信するステップと、
前記第１のコンピュータにおいて所定の推奨の栄養補助食品成分の独自のグループを識別するステップであって、前記各推奨の栄養補助食品成分は前記ユーザの健康状態に関連付けられている、識別するステップと、
前記第１のコンピュータにおいて前記複数の推奨の栄養補助食品成分に基づいて少なくとも１つの推奨の栄養補助食品の剤形を識別するステップと
を含む、コンピュータ可読記憶媒体を含むことを特徴とする請求項２０に記載の装置。
【請求項２４】
コンピュータに栄養補助食品の摂取計画を生成する方法を実行させるためのプログラムを記憶したコンピュータ可読記憶媒体であって、前記方法は、
少なくとも１つのユーザの健康状態に関する複数の質問を作成するステップであって、前記質問は少なくとも２つの可能性のある回答を有し、前記回答は少なくとも１つの所定の推奨の栄養補助食品成分を含むセットにリンクされている前記ユーザの健康状態の質的特徴または量的特徴を表す、作成するステップと、
前記ユーザに前記複数の質問を提示するステップと、
前記複数の質問に対する前記ユーザの応答を受信するステップ、および前記各質問に対する応答を１つのみ受け入れるステップと、
所定の推奨の栄養補助食品成分のグループを識別するステップであって、前記各推奨の栄養補助食品成分は前記ユーザの健康状態に関連付けられている、識別するステップと、
チェックした栄養補助食品成分を含む少なくとも１つの推奨の栄養補助食品の剤形を識別するステップと
組合せ剤形を識別して前記栄養補助食品成分の数を最小とすることにより、前記少なくとも１つの推奨の栄養補助食品の剤形を最適化するステップと、
を含むことを特徴とするコンピュータ可読記憶媒体。
【請求項２５】
１日分の栄養補助食品成分の摂取計画を提供するためのコンピュータによって実行される方法であって、
コンピュータによって、少なくとも１つのユーザの健康状態に関する複数の質問を表示するステップであって、前記質問は少なくとも２つの可能性のある回答を有し、前記各回答は前記ユーザの健康状態の質的特徴または量的特徴を表し、前記健康状態は少なくとも１つの対応する成分を含むセットにリンクされている、表示するステップと、
前記コンピュータによって、前記複数の質問に応えて複数の回答を受信するステップと、
前記コンピュータによって、前記ユーザの１つまたは複数の健康状態に関連する１つまたは複数の対応する成分を識別するステップと、
前記コンピュータによって、１つまたは複数の禁止成分の存在をチェックするステップと、
前記コンピュータによって、前記識別された１つまたは複数の対応する成分を含む少なくとも１つの対応する剤形を作成するステップと、
前記コンピュータによって、組合せ剤形を識別して前記少なくとも１つの対応する剤形の栄養補助食品成分の数を最小とすることにより、前記少なくとも１つの対応する剤形を最適化するステップと、
前記コンピュータによって、前記少なくとも１つの対応する剤形のリストを表示するステップと
を含むことを特徴とする方法。
【請求項２６】
１日分の栄養補助食品成分の摂取計画を提供するための装置であって、
栄養の知識基盤に含まれる情報に基づいて質問表を準備するように動作する、１つまたは複数のプロセッサによって実行される質問表モジュールであって、前記質問表は１つまたは複数の健康状態に関連する１つまたは複数の質問を含み、前記質問の各々は少なくとも２つの回答に関連する、質問表モジュールと、
前記質問表モジュールから前記質問表を受信し、成分に対応するおよび投与に関連する前記１つまたは複数の質問、回答、および健康状態にリンクする質問−回答−栄養補助食品マップを作成するように動作する、前記１つまたは複数のプロセッサによって実行されるマッピングモジュールと、
前記質問表に対する回答を含むセットを受信し、前記質問−回答−栄養補助食品マップに基づき対応する成分を含むセットを識別するように動作する、前記１つまたは複数のプロセッサによって実行される識別モジュールと、
前記対応する成分を含むセットを受信し、前記対応する成分を含むセットを修正して推奨の栄養補助食品の摂取計画を作成するように動作する、前記１つまたは複数のプロセッサによって実行される制御モジュールであって、前記対応する成分を含むセットを修正することは、組合せ補助食品を識別して前記推奨の栄養補助食品の摂取計画における対応する成分の数を最小とすることにより、前記推奨の栄養補助食品の摂取計画を最適化することを含む、制御モジュールと、
前記制御モジュールから受信した前記推奨の栄養補助食品の摂取計画を送信するように動作する、前記１つまたは複数のプロセッサによって実行されるユーザインタラクションモジュールと
を含むことを特徴とする装置。